(57)【要約】【課題】袋の横方向に開封容易でありかつ開封位置を選択することが可能なラミネート包装袋用の、横易引裂ラミネートフィルム及び横易引裂ラミネート包装袋を提供する。【解決手段】易引裂性を有する易引裂性フィルム層１１と、延伸方向に直交する方向に易引裂性を有する横方向性フィルム層１２と、内容物に応じて所定の機能を有する基材からなる基材フィルム層１３と、易引裂性フィルム層１１と横方向性フィルム層１２との間、及び横方向性フィルム層１２と基材フィルム層１３との間に、それぞれ設けられた接着層１４、１５と、を備えた構成を有している。【選択図】図１
2008001406.tif 000002
【特許請求の範囲】
【請求項１】
フィルムの流れ方向（ＭＤ）に直交する方向に易引裂性を有する横方向性フィルム層と、易引裂性を有する易引裂性フィルム層と、前記易引裂性フィルム層と前記横方向性フィルム層とを接着させる接着層と、を備えたことを特徴とする横易引裂ラミネートフィルム。
【請求項２】
前記横方向性フィルム層が、高密度ポリエチレンからなることを特徴とする請求項１に記載の横易引裂ラミネートフィルム。
【請求項３】
前記易引裂性フィルム層が、リニア低密度ポリエチレンからなることを特徴とする請求項１又は請求項２に記載の横易引裂ラミネートフィルム。
【請求項４】
請求項１乃至請求項３のいずれかの横易引裂ラミネートフィルムを用いて形成されるラミネート包装袋であって、前記横方向性フィルム層が有する易引裂性の方向が、前記ラミネート包装袋の横方向に沿っていることを特徴とする横易引裂ラミネート包装袋。
【請求項５】
少なくとも、前記横易引裂ラミネート包装袋の易引裂性の方向に垂直な方向に背貼りを含む溶着部分を有し、前記溶着部分に１つ以上の切込みが設けられていることを特徴とする請求項４に記載の横易引裂ラミネート包装袋。
【発明の詳細な説明】
【技術分野】
【０００１】
本発明は、食品等の包装に用いられ、引き裂いて開封できる包装袋を形成するための、横易引裂ラミネートフィルム及び横易引裂ラミネート包装袋に関する。
【背景技術】
【０００２】
従来、食品等の包装に用いられ、引き裂いて開封できるラミネート包装袋としては、袋の筒の方向に易引裂性を有するものが知られている（例えば、特許文献１参照。）。特許文献１に記載の包装袋用積層シートは、かかるラミネート包装袋の形成に用いられ、ナイロン等からなる無延伸又は２軸延伸プラスチックフィルムの表面層と、ポリエチレン等からなる１軸延伸プラスチックフィルムの中間層と、ポリオレフィン系樹脂からなる無延伸フィルムの裏面層とが積層された構成を有し、２方シール袋にした場合に、いずれかのシール部から筒の方向に切れ易くなっている。
【０００３】
また、横方向に開封しやすくするために、例えば無延伸のフィルムを積層したラミネートフィルムを用いて、センタープレスシール方法等でラミネート包装袋を製造し、中央の背貼り部にＶノッチを設け、このＶノッチ位置で横方向に引き裂くようにしている。これによって、一軸方向の易引裂性は十分に得られないものの、ラミネート包装袋の横方向を中心として開封しやすくなっている。
【特許文献１】特開平０８−０１１２６９号公報
【発明の開示】
【発明が解決しようとする課題】
【０００４】
しかしながら、特許文献１に記載の従来のラミネートフィルム及びラミネート包装袋では、易引裂性を有する方向が袋の筒の方向であるため、開封したときに開口部が広がり過ぎてしまうという問題を有していた。また、Ｖノッチを設けて横方向に開封する技術では、ラミネートフィルムが横方向に易引裂性を有せず良好に横方向に開封できない場合が多いこと、Ｖノッチ位置以外からの開封が困難であること等の問題を有していた。そのため、内容物が開封時に不意に落ちてしまったり、開封後に袋を塞ぐことに手間取ったり、開封後に邪魔になる部分が残ったりしていた。
【０００５】
以上の現状に鑑み、本発明の目的は、袋の横方向に開封容易でありかつ開封位置を選択することが可能なラミネート包装袋用の、横易引裂ラミネートフィルム及び横易引裂ラミネート包装袋を提供する。
【課題を解決するための手段】
【０００６】
上記の課題を解決すべく、本発明は以下の構成を提供する。
請求項１に係る発明は、フィルムの流れ方向（ＭＤ）に直交する方向に易引裂性を有する横方向性フィルム層と、易引裂性を有する易引裂性フィルム層と、前記易引裂性フィルム層と前記横方向性フィルム層とを接着させる接着層と、を備えたことを特徴とする。
【０００７】
請求項２に係る発明は、請求項１の横易引裂ラミネートフィルムにおいて、前記横方向性フィルム層が、高密度ポリエチレンからなることを特徴とする。
【０００８】
請求項３に係る発明は、請求項１又は請求項２の横易引裂ラミネートフィルムにおいて、前記易引裂性フィルム層が、リニア低密度ポリエチレンからなることを特徴とする。
【０００９】
請求項４に係る発明は、請求項１乃至請求項３のいずれかの横易引裂ラミネートフィルムを用いて形成されるラミネート包装袋であって、前記横方向性フィルム層が有する易引裂性の方向が、前記ラミネート包装袋の横方向に沿っていることを特徴とする。
【００１０】
請求項５に係る発明は、請求項４の横易引裂ラミネート包装袋において、少なくとも、前記横易引裂ラミネート包装袋の易引裂性の方向に垂直な方向に背貼りを含む溶着部分を有し、前記溶着部分に１つ以上の切込みが設けられていることを特徴とする。
【発明の効果】
【００１１】
請求項１に係る発明によれば、フィルムの流れ方向（ＭＤ）に直交する方向に易引裂性を有する横方向性フィルム層と、易引裂性を有する易引裂性フィルム層と、易引裂性フィルム層と横方向性フィルム層とを接着させる接着層と、を備えるため、袋の横方向に開封容易でありかつ開封位置を選択することが可能なラミネート包装袋用の、横易引裂ラミネートフィルムを実現することができる。
【００１２】
請求項２に係る発明によれば、上記請求項１の効果に加えて、横方向性フィルム層が高密度ポリエチレンからなるため、フィルム強度の強い層に横方向の易引裂性を保持させることができ、もって横方向の開封をさらに容易にすることができる。
【００１３】
請求項３に係る発明によれば、上記請求項１又は請求項２の効果に加えて、易引裂性フィルム層がリニア低密度ポリエチレンからなるため、高いヒートシール性を確保することができると共に、横方向性フィルム層が保持する横方向の易引裂性を高く維持することができる。
【００１４】
請求項４に係る発明によれば、請求項１乃至請求項３のいずれかの横易引裂ラミネートフィルムを用いて形成されるラミネート包装袋であって、横方向性フィルム層が有する易引裂性の方向が、ラミネート包装袋の横方向に沿っているため、袋の横方向に開封容易でありかつ開封位置を選択することが可能な横易引裂ラミネート包装袋を実現することができる。
【００１５】
請求項５に係る発明によれば、上記請求項４の効果に加えて、少なくとも、横易引裂ラミネート包装袋の易引裂性の方向に垂直な方向に背貼りを含む溶着部分を有し、溶着部分に１つ以上の切込みが設けられているため、さらに横方向の開封を容易にすることができる。
【発明を実施するための最良の形態】
【００１６】
以下、実施例を示した図面を参照しつつ本発明の実施の形態について説明する。
図１は、本発明による横易引裂ラミネートフィルムの一実施例を模式的に示す図である。横易引裂ラミネートフィルム１は、図１（ａ）に示すように、易引裂性を有する易引裂性フィルム層１１と、フィルムの流れ方向（ＭＤ）に直交する方向に易引裂性を有する横方向性フィルム層１２と、内容物に応じて所定の機能を有する基材からなる基材フィルム層１３と、易引裂性フィルム層１１と横方向性フィルム層１２との間、及び横方向性フィルム層１２と基材フィルム層１３との間に、それぞれ設けられた接着層１４、１５と、を備える。図１（ｂ）は、横易引裂ラミネートフィルムを構成する各フィルム層１１〜１３の積層の様子を示す斜視図である。
【００１７】
易引裂性フィルム層１１は、例えば、一軸、二軸、又は無軸延伸され、易引裂性の方向（以下、単に易引裂方向という。）が横方向を含み又は特定の易引裂方向に無いフィルム層である。易引裂性フィルム層１１用のフィルムとしては、無軸延伸され易引裂方向が特定の方向に無いもの、さらには、ヒートシールを容易に行うことができる高いヒートシール性を有するものが好ましい。このように構成することによって、横方向性フィルム層１２との重ね合わせを簡易に行うことができると共に、ヒートシールを容易に行うことができ、量産性の向上を図れる。具体的には、易引裂性フィルム層１１は、例えば、フタムラ化学社製、ＬＬ−ＭＴＮＳＴ＃３０等の易引裂性を有するリニア低密度ポリエチレンフィルムを用いて形成される、厚さが２０〜６０μｍのフィルム層である。
【００１８】
図２は、横方向性フィルム層の形成に用いるフィルムについての説明図である。図２において、ロール１２１から引き出されたフィルム１２２の延伸方向を符号ＭＤで示し、フィルムの流れ方向（ＭＤ）に直交する方向（以下、横方向という。）を符号ＴＤで示す。横方向性フィルム層１２は、易引裂性を保持しつつ、フィルム強度の強いものが好ましい。また、横方向性フィルム層１２は、水分、水蒸気、酸素等に対する所謂バリア機能を有するものが好ましい。横方向性フィルム層１２は、例えば、電気化学工業社製、カラリヤンＹＡ＃１８等の横方向に易引裂性を有する高密度ポリエチレンフィルムを用いて形成される、厚さが１０〜３０μｍのフィルム層である。
【００１９】
基材フィルム層１３は、ポリプロピレンフィルム等を用いて形成されるフィルム層である。基材フィルム層１３が上記のヒートシール性、バリア機能、印刷容易性等を有することは、表面層として好ましい。具体的には、基材フィルム層１３は、例えば、フタムラ化学社製、ＥＣＯ−Ｂ＃２０等の二軸延伸ポリプロピレンフィルムを用いて形成される、厚さが１０〜３０μｍのフィルム層である。
【００２０】
接着層１４、１５は、易引裂性フィルム層１１と横方向性フィルム層１２、及び横方向性フィルム層１２と基材フィルム層１３とが、それぞれ開封の際に相互に分離しない程度のラミネート強度を確保できる接着剤からなる層である。具体的には、接着層１４、１５は、エステル系の接着剤からなる、厚さが１〜５μｍの層である。接着層の接着強度、即ち、ラミネートフィルムとしてのラミネート強度が低い場合は、開封の際に易引裂性フィルム層１１に相当するシーラントフィルムが伸びてしまったり、所謂ひげが発生してしまったりする等の開封性に問題が生ずることとなる。そのため、良好な引裂き性を確保するには接着層が高い接着強度を有することが必要であり、エステル系の接着剤は、高い接着強度を確保でき、もって良好な手切れ性が得られるため、好ましい。
【００２１】
図３は、本発明による横易引裂ラミネート包装袋の一実施例を模式的に示す斜視図である。図３（ａ）はセンタープレスシール方法で製造する所謂センターシール袋の一部を示す図であり、図３（ｂ）は角柱状の筒を有するセンターシール袋の一部を示す図である。横易引裂ラミネート包装袋２は、図３（ａ）において、それぞれ、延伸方向（ＭＤ）に伸びると共に横方向（ＴＤ）に開口し、内部に内容物を入れる筒状の空間を確保する側筒部２１と、封じられて側筒部２１を形成する背貼り部２２と、封じられて側筒部２１の筒状の空間の密閉性を確保する端貼り部２３と、を備える。ここで、背貼り部２２には複数の切込み２４が設けられ、この切込み２４を利用することによって開封がさらに容易にできるようになっている。図３（ｂ）には、横易引裂ラミネート包装袋３の、側筒部３１、背貼り部３２、側筒部３１を折り畳む折り畳み部３３、及び切込み３４が示されている。
【００２２】
ただし、本発明による横易引裂ラミネート包装袋は、センタープレスシール方法を用いて製造されるものに限定されず、同様に、背貼り部２２に代えて側筒部２１のいずれかの場所に易引裂方向にそってサイドシールを有するのでもよく、また、切り込みは無くとも又は１つであってもよい。本発明による横易引裂ラミネート包装袋は、横方向の手切れ性がよく、ラミネート強度の強い横易引裂ラミネートフィルムを用いて製造されるため、開封の際の横方向の手切れ性がよく、ひげ等の発生を略なくすることができる。
【図面の簡単な説明】
【００２３】
【図１】本発明による横易引裂ラミネートフィルムの一実施例を模式的に示す図である。
【図２】横方向性フィルム層の形成に用いるフィルムについての説明図である。
【図３】本発明による横易引裂ラミネート包装袋の一実施例を模式的に示す斜視図である。
【符号の説明】
【００２４】
１  横易引裂ラミネートフィルム
２、３  横易引裂ラミネート包装袋
１１  易引裂性フィルム層
１２  横方向性フィルム層
１３  基材フィルム層
１４、１５  接着層
２１、３１  側筒部
２２、３２  背貼り部
２３  端貼り部
２４、３４  切込み
３３  折り畳み部
１２１  ロール
１２２  フィルム
【図１】
2008001406.tif 000003
【図２】
2008001406.tif 000004
【図３】
2008001406.tif 000005